(57)【要約】 【課題】  ブラケット本体に十分な強度を確保しつつ肉薄化することができるブラケット及び該ブラケットを備えた手摺又は取っ手を得る。【解決手段】  ブラケット本体１１は、壁面に固定される基礎部１４と、基礎部１４から握り棒取付部１３にかけて伸長された支持部１５とを備える。ブラケット本体１１の内面には、斜交いに交差した一対の板状部２４ａ，２４ｂを備えた交差リブ２１を、支持部１５の伸長方向に沿って複数連ねて設けた。これにより、ブラケット本体１１は、握り棒１を介してブラケット本体１１に加わる鉛直荷重や水平荷重に加え、ねじれに対しても十分に耐え得ることができる。【選択図】  図２
2018178427.tif 000002
【特許請求の範囲】
【請求項１】
手摺又は取っ手の握り棒を支持固定するブラケットであって、
一又は複数の握り棒取付部を有するブラケット本体と、該ブラケット本体に装着されるブラケットカバーとを備え、
前記ブラケット本体は、壁面に固定される基礎部と、該基礎部からいずれか一の前記握り棒取付部にかけて伸長された一又は複数の支持部とを備え、
前記ブラケット本体の内面には、前記支持部の伸長方向に沿って連ねられた複数の交差リブを有するリブ群が設けられ、
前記交差リブには、前記支持部の伸長方向に対して斜交いに交差した一対の板状部が備えられたことを特徴とするブラケット。
【請求項２】
前記リブ群には、少なくとも隣接する２つの交差リブについて、互いの一対の板状部が交わり各前記板状部の４面で囲んだ囲繞部が形成されたことを特徴とする請求項１に記載のブラケット。
【請求項３】
前記リブ群には、前記支持部の伸長方向に連続する３つの前記交差リブとして、第１交差リブ、第２交差リブ及び第３交差リブが備えられ、
前記第１交差リブの一対の板状部と前記第２交差リブの一対の板状部とが交わり各前記板状部の４面で囲んだ第１囲繞部が形成され、
前記第２交差リブの一対の板状部と前記第３交差リブの一対の板状部とが交わり各前記板状部の４面で囲んだ第２囲繞部が形成されたことを特徴とする請求項２に記載のブラケット。
【請求項４】
前記リブ群には、前記第１交差リブの片方の板状部と前記第３交差リブの片方の板状部とが交わり、これらの板状部と前記第２交差リブの一対の板状部の４面で囲んだ副囲繞部が形成されたことを特徴とする請求項３に記載の手摺用ブラケット。
【請求項５】
請求項１乃至４のいずれか１項に記載のブラケットと、該ブラケットの前記握り棒取付部に支持される握り棒とを備えた手摺又は取っ手。
【発明の詳細な説明】
【技術分野】
【０００１】
本発明は、握り棒を壁面に支持固定するブラケット及び該ブラケットを備えた手摺又は取っ手に関するものである。
【背景技術】
【０００２】
従来より、建物の便所、浴室、玄関等の壁面に設置される手摺は、握り棒が手摺用ブラケットに支持された状態で、該手摺用ブラケットが壁面に固定される。
ところで、手摺が使用される際、手摺用ブラケットのブラケット本体には握り棒を介して荷重が加わるため、ブラケット本体にはその荷重に耐え得る強度が求められる。そこで、ブラケット本体の強度を向上させるためには、ブラケット本体を肉厚に成形する他、ブラケット本体の内部に補強リブを設けることが知られている（例えば、特許文献１参照。）。
【先行技術文献】
【特許文献】
【０００３】
【特許文献１】特開２００２−３３９５４１号公報
【発明の開示】
【発明が解決しようとする課題】
【０００４】
しかしながら、特許文献１に記載の手摺用ブラケットにおいては、内部に設けた補強リブによりある程度の強度は得られるものの、ブラケット本体をより肉薄に成形しようとした場合、或いはブラケット本体をより細身に成形しようとした場合に、ブラケット本体には荷重に耐え得る十分な強度が得られず、ブラケット本体の肉薄化又は細身化が困難であるといった問題あった。
本発明の目的は、ブラケット本体に十分な強度を確保しつつ肉薄化又は細身化することができるブラケット及び該ブラケットを備えた手摺又は取っ手を提供することにある。
【課題を解決するための手段】
【０００５】
上記の目的を達成するために、本発明の第１の特徴は、手摺又は取っ手の握り棒を支持固定するブラケットであって、一又は複数の握り棒取付部を有するブラケット本体と、該ブラケット本体に装着されるブラケットカバーとを備え、前記ブラケット本体は、壁面に固定される基礎部と、該基礎部からいずれか一の前記握り棒取付部にかけて伸長された一又は複数の支持部とを備え、前記ブラケット本体の内面には、前記支持部の伸長方向に沿って連ねられた複数の交差リブを有するリブ群が設けられ、前記交差リブには、前記支持部の伸長方向に対して斜交いに交差した一対の板状部が備えられたことにある。
【０００６】
本発明の第１の特徴によれば、握り棒を介してブラケット本体に加わる鉛直荷重や水平荷重に加え、ねじれに対しても十分に耐え得るように支持部を補強することができ、さらなる支持部の肉薄化又はブラケット本体の細身化を図ることができる。
【０００７】
本発明の第２の特徴は、上記第１の特徴に加えて、前記リブ群には、隣接する２つの交差リブについて、互いの一対の板状部が交わり各前記板状部の４面で囲んだ囲繞部が形成されたことにある。
これにより、ブラケット本体内の狭いスペースに複数の交差リブを効果的に配置することができる。
【０００８】
本発明の第３の特徴は、上記第２の特徴に加えて、前記リブ群には、前記支持部の伸長方向に連続する３つの前記交差リブとして、第１交差リブ、第２交差リブ及び第３交差リブが備えられ、前記第１交差リブの一対の板状部と前記第２交差リブの一対の板状部とが交わり各前記板状部の４面で囲んだ第１囲繞部が形成され、前記第２交差リブの一対の板状部と前記第３交差リブの一対の板状部とが交わり各前記板状部の４面で囲んだ第２囲繞部が形成されたことにある。
【０００９】
本発明の第４の特徴は、上記第３の特徴に加えて、前記リブ群には、前記第１交差リブの片方の板状部と前記第３交差リブの片方の板状部とが交わり、これらの板状部と前記第２交差リブの一対の板状部の４面で囲んだ副囲繞部が形成されたことにある。
【００１０】
本発明の第５の特徴は、手摺又は取っ手において、上記第１乃至第４の特徴のいずれか１に記載のブラケットと、該ブラケットの前記握り棒取付部に支持される握り棒とを備えたことにある。
【発明の効果】
【００１１】
本発明によれば、ブラケット本体に十分な強度を確保しつつ肉薄化又は細身化することができるブラケットを提供することができ、また、該ブラケットを備えた手摺及び取っ手を提供することができる。
【図面の簡単な説明】
【００１２】
【図１】本発明の実施形態に係る手摺の一例を示す斜視図である。
【図２】本発明の実施形態に係るコーナーブラケットを示す分解斜視図である。
【図３】本発明の実施形態に係るコーナーブラケットのブラケット本体を示す正面図である。
【図４】図３のＡ−Ａ線断面図である。
【図５】本発明の実施形態に係るエンドブラケットを示す分解斜視図である。
【図６】本発明の実施形態に係るエンドブラケットのブラケット本体を示す平面図である。
【図７】図６のＢ−Ｂ線断面図である。
【図８】本発明の実施形態に係るエンドブラケットであって、リブ群の変形例を示す平面図である。
【発明を実施するための形態】
【００１３】
本発明を実施するための形態として、本発明に係るブラケットを備えた手摺Ｔを、図面を参照して詳細に説明する。
手摺Ｔは、建物の便所、浴室、玄関等の壁面に据付けられる。図１に示すように、手摺Ｔは、本発明に係る手摺用ブラケット２と、手摺用ブラケット２に支持固定される握り棒１とを備えている。また、手摺Ｔは、直線状の握り棒１を２本備えて、正面視でおおよそＬ字形に形成されている。握り棒１は、金属製のパイプ材の表面を合成樹脂で被覆されると共に、パイプ材の内周面にビスホールが形成された構造となっているが、本発明は、これに限定されるものでなく、公知の構造の握り棒を用いることができる。また、本発明の握り棒は、中空なパイプ形状に限られず、中実棒形状とすることもできる。
【００１４】
手摺Ｔは、手摺用ブラケット２として、２本の握り棒１の一端部を支持するコーナーブラケット１０と、１本の握り棒１の他端部を支持するエンドブラケット３０とを備えている。
【００１５】
次に、コーナーブラケット１０について説明する。
図２に示すように、コーナーブラケット１０は、その内部が空洞となっており、おおよそ握り棒取付部１３を有するブラケット本体１１と、ブラケット本体１１に装着されるブラケットカバー１２とに大別される。ブラケット本体１１やブラケットカバー１２は、合成樹脂によって成形されている。
【００１６】
ブラケット本体１１は、壁面に固定される基礎部１４と、基礎部１４から各握り棒取付部１３にかけて伸長された２つの支持部１５とを備えている。基礎部１４には、厚み方向に貫通する貫通孔１６が形成されている。基礎部１４は、この貫通孔１６を介してネジやアンカー等によって壁面に固定される。
【００１７】
図２及び図３に示すように、２つの支持部１５は、基礎部１４側において隣り合う部位が連続すると共に、各握り棒取付部１３に向けて二手に分かれて、おおよそ左右対称に形成されている。また、支持部１５は、正面側に開放した湾曲状を成しており、基礎部１４から握り棒取付部１３にかけて内回り開放縁部１８ａ及び外回り開放縁部１８ｂが形成されている。
【００１８】
２つの支持部１５の端部には、握り棒１の端部が挿嵌される握り棒取付部１３が設けられている。握り棒取付部１３の底部には、ネジ挿通孔１７が設けられており、ネジ挿通孔１７に通した固定ネジにより、握り棒１が握り棒取付部１３に固定されるようになっている。なお、握り棒１と握り棒取付部１３との固定は、本例に限定されるものでなく、公知の固定手段を用いることができる。
【００１９】
図２に示すように、ブラケットカバー１２は、ブラケット本体１１の内側を隠すとともに、コーナーブラケット１０の外形の一部を成すものである。ブラケットカバー１２は、公知の係合手段によりブラケット本体１１に装着される。
【００２０】
ブラケット本体１１の内面には、ブラケット本体１１を補強するリブ群２０が設けられている。リブ群２０は、支持部１５の伸長方向に沿って連ねられた２つの交差リブ２１を備えている。図３に示すように、リブ群２０は、交差リブ２１として、基礎部１４側に位置する第１交差リブ２２と、握り棒取付部１３に位置する第２交差リブ２３とを備えている。
【００２１】
交差リブ２１には、支持部１５の伸長方向に対して斜交いに交差した一対の板状部２４ａ，２４ｂが備えられている。交差リブ２１の板状部２４ａ，２４ｂは、ブラケット本体１１の内面に立設されており、支持部１５の内回り開放縁部１８ａ及び外回り開放縁部１８ｂ付近の高さまで形成されている。なお、ヒケによる支持部１５の外観不良を防止するために、板状部２４ａ，２４ｂの厚みは、支持部１５の厚み以下とすることが好ましい。
【００２２】
図３に示すように、第１交差リブ２２は、支持部１５の伸長方向に対して、外回り開放縁部１８ｂ近傍から握り棒取付部１３に接近するように斜め方向に延びて内回り開放縁部１８ａ近傍まで達する板状部２５ａと、内回り開放縁部１８ａ近傍から握り棒取付部１３に接近するように斜め方向に延びて外回り開放縁部１８ｂ近傍まで達する板状部２５ｂとを備えている。第１交差リブ２２の板状部２５ａ，２５ｂは、基礎部１４及び支持部１５に立設されており、板状部２５ａの先端部が、基礎部１４と外回り開放縁部１８ｂ近傍の支持部１５との隅に達し、板状部２５ｂの先端部が、内回り開放縁部１８ａ側の一対の支持部１５の境界に達している。また、第２交差リブ２３は、支持部１５の伸長方向に対して、外回り開放縁部１８ｂ近傍から握り棒取付部１３に接近するように斜め方向に延びて内回り開放縁部１８ａ近傍まで達する板状部２６ａと、内回り開放縁部１８ａ近傍から握り棒取付部１３に接近するように斜め方向に延びて外回り開放縁部１８ｂ近傍まで達する板状部２６ｂとを備えている。第２交差リブ２３の板状部２６ａ，２６ｂは、支持部１５に立設されて、板状部２６ａ，２６ｂの先端部が支持部１５と握り棒取付部１３との隅に達している。
【００２３】
そして、リブ群２０では、第１交差リブ２２の板状部２５ａと第２交差リブ２３の板状部２６ｂとが交差すると共に、第１交差リブ２２の板状部２５ｂと第２交差リブ２３の板状部２６ａとが交差して、各板状部２５ａ，２５ｂ，２６ａ，２６ｂの４面で囲んだ囲繞部２７が形成されている。
以上のように構成されたコーナーブラケット１０では、ブラケット本体１１内の狭いスペースに複数の交差リブ２１を効果的に配置することができ、握り棒１を介してブラケット本体１１に加わる鉛直荷重や水平荷重に加え、ねじれに対しても十分に耐え得るように支持部１５を補強することができる。
【００２４】
次に、エンドブラケット３０について説明する。
図５に示すように、エンドブラケット３０は、その内部が空洞となっており、おおよそ握り棒取付部３３を有するブラケット本体３１と、ブラケット本体３１に装着されるブラケットカバー３２とに大別される。ブラケット本体３１やブラケットカバー３２は、合成樹脂によって成形されている。
【００２５】
ブラケット本体３１は、壁面に固定される基礎部３４と、基礎部３４から握り棒取付部３３にかけて伸長された支持部３５とを備えている。本例では、ブラケット本体３１は、全体形状が概ね湾曲状に形成されている。ブラケット本体３１の基礎部３４には、厚み方向に貫通する貫通孔３６が形成されている。基礎部３４は、この貫通孔３６を介してネジやアンカー等によって壁面に固定される。
【００２６】
ブラケットカバー３２は、ブラケット本体３１の内側を隠すとともに、エンドブラケット３０の外形の一部を成すものである。ブラケットカバー３２は、公知の係合手段によりブラケット本体３１に装着される。
【００２７】
図５に示すように、支持部３５は、正面側に開放した湾曲状を成しており、基礎部３４から握り棒取付部３３にかけて開放縁部３８ａ，３８ｂが形成されている。
支持部３５の端部には、握り棒１の端部が挿嵌される握り棒取付部３３が設けられている。なお、握り棒取付部３３のネジ挿通孔３７（図６参照）や、握り棒１と握り棒取付部３３との固定は、上述したコーナーブラケット１０と同様であるため、詳細な説明を省略する。
【００２８】
図６及び図７に示すように、ブラケット本体３１の内面には、ブラケット本体３１を補強するリブ群４０が設けられている。リブ群４０は、支持部３５の伸長方向に沿って連ねられた３つの交差リブ４１を備えている。本例のリブ群４０は、交差リブ４１として、基礎部３４側から順に第１交差リブ４２、第２交差リブ４３及び第３交差リブ４４を備えている。また、支持部３５の内面には、基礎部３４から第１交差リブ４２にかけて延びた２つの補強リブ４５が設けられている。
【００２９】
交差リブ４１には、支持部３５の伸長方向に対して斜交いに交差した一対の板状部４６ａ，４６ｂが備えられている。交差リブ４１の板状部４６ａ，４６ｂは、ブラケット本体３１の内面に立設されており、支持部３５の開放縁部３８ａ，３８ｂ付近の高さまで形成されている。なお、ヒケによる支持部３５の外観不良を防止するために、板状部４６ａ，４６ｂの厚みは、支持部３５の厚み以下とすることが好ましい。
【００３０】
図６に示すように、第１交差リブ４２は、支持部３５の伸長方向に対して、左側の開放縁部３８ｂ近傍から右側の開放縁部３８ａ近傍かけて右斜め方向に延びる板状部４７ａと、右側の開放縁部３８ａ近傍から左側の開放縁部３８ｂ近傍かけて左斜め方向に延びる板状部４７ｂとを備えている。第１交差リブ４２の板状部４７ａ，４７ｂは、支持部３５に立設されて、板状部４７ａ，４７ｂの先端部が支持部３５と基礎部３４との隅に達している。また、第２交差リブ４３は、支持部３５の伸長方向に対して、左側の開放縁部３８ｂ近傍から右側の開放縁部３８ａ近傍かけて右斜め方向に延びる板状部４８ａと、右側の開放縁部３８ａ近傍から左側の開放縁部３８ｂ近傍かけて左斜め方向に延びる板状部４８ｂとを備えている。第２交差リブ４３の板状部４８ａ，４８ｂは、支持部３５の内面に立設されている。また、第３交差リブ４４は、支持部３５の伸長方向に対して、左側の開放縁部３８ｂ近傍から右側の開放縁部３８ａ近傍かけて右斜め方向に延びる板状部４９ａと、右側の開放縁部３８ａ近傍から左側の開放縁部３８ｂ近傍かけて左斜め方向に延びる板状部４９ｂとを備えている。第３交差リブ４４の板状部４９ａ，４９ｂは、支持部３５及び握り棒取付部３３に立設されており、板状部４９ａの先端部が、握り棒取付部３３と開放縁部３８ａ近傍の支持部３５との隅に達し、板状部４９ｂの先端部が、握り棒取付部３３と開放縁部３８ｂ近傍の支持部３５の隅に達している。
【００３１】
リブ群４０では、第１交差リブ４２の板状部４７ａと第２交差リブ４３の板状部４８ｂとが交差すると共に、第１交差リブ４２の板状部４７ｂと第２交差４２の板状部４８ａとが交差して、各板状部４７ａ，４７ｂ，４８ａ，４８ｂの４面で囲んだ第１囲繞部５０が形成されている。
また、リブ群４０では、第２交差リブ４３の板状部４８ａと第３交差リブ４４の板状部４９ｂとが交差すると共に、第２交差リブ４３の板状部４８ｂと第３交差リブ４４の板状部４９ａとが交差して、各板状部４８ａ，４８ｂ，４９ａ，４９ｂの４面で囲んだ第２囲繞部５１が形成されている。
【００３２】
さらに、リブ群４０では、第１交差リブ４２の板状部４７ａと第３交差リブ４４の板状部４９ｂとが交わり、これらの板状部４７ａ，４９ｂと第２交差リブ４３の板状部４８ａ，４８ｂの４面で囲んだ副囲繞部５２が形成されている。
また、リブ群４０では、第１交差リブ４２の板状部４７ｂと第３交差リブ４４の板状部４９ａとが交わり、これらの板状部４７ｂ，４９ａと第２交差リブ４３の板状部４８ａ，４８ｂの４面で囲んだ副囲繞部５３が形成されている。
【００３３】
以上のように構成されたエンドブラケット３０では、ブラケット本体３１内の狭いスペースに複数の交差リブ６１を効果的に配置することができ、握り棒１を介してブラケット本体３１に加わる鉛直荷重や水平荷重に加え、ねじれに対しても十分に耐え得るように支持部３５を補強することができる。
【００３４】
次に、エンドブラケット３０のリブ群の変形例１について、図８を参照して説明する。
リブ群６０は、交差リブ６１として、基礎部３４側から順に第１交差リブ６２、第２交差リブ６３及び第３交差リブ６４を備えている。
第２交差リブ６３は、支持部３５に立設されており、第２交差リブ６３の板状部６８ａが、左の開放縁部３８ｂ側の支持部３５と基礎部３４との隅から右の開放縁部３８ａ側の握り棒取付部３３と支持部３５との隅まで延び、第２交差リブ６３の板状部６８ｂが、右の開放縁部３８ａ側の支持部３５と基礎部３４との隅から左の開放縁部３８ｂ側の握り棒取付部３３と支持部３５との隅まで延びている。
【００３５】
第１交差リブ６２は、支持部３５に立設されており、第１交差リブ６２の板状部６７ａが、基礎部３４から右側の開放縁部３８ａ近傍かけて右斜め方向に延び、第１交差リブ６２の板状部６７ｂが、基礎部３４から左側の開放縁部３８ｂ近傍かけて左斜め方向に延びている。
第３交差リブ６４は、支持部３５及び握り棒取付部３３に立設されており、第３交差リブ６４の板状部６９ａが、左側の開放縁部３８ｂ近傍から握り棒取付部３３にかけて右斜め方向に延び、第３交差リブ６４の板状部６９ｂが、右側の開放縁部３８ａ近傍から握り棒取付部３３にかけて左斜め方向に延びている。
【００３６】
そして、第１交差リブ６２と第２交差リブ６３との板状部が交差して、各板状部６７ａ，６７ｂ，６８ａ，６８ｂの４面で囲んだ第１囲繞部７０が形成され、第２交差リブ６３と第３交差リブ６４との板状部が交差して、各板状部６８ａ，６８ｂ，６９ａ，６９ｂの４面で囲んだ第２囲繞部７１が形成されている。
さらに、支持部３５における右の開放縁部３８ａ側の位置で、第１交差リブ６２と第３交差リブ６４との板状部６７ａ，６９ｂが交差して、これらと第２交差リブ４３の板状部６８ａ，６８ｂとの４面で囲んだ副囲繞部７２が形成され、支持部３５における左の開放縁部３８ｂ側の位置で、第１交差リブ６２と第３交差リブ６４との板状部６７ｂ，６９ａが交差して、これらと第２交差リブ６３の板状部６８ａ，６８ｂとの４面で囲んだ副囲繞部７３が形成されている。
【００３７】
以上のようにリブ群６０を構成しても、ブラケット本体３１に十分な強度を確保しつつ肉薄化又は細身化することができる。
また、ブラケット本体３１の形状や支持部３５・交差リブ６１の厚みによっては、所望の強度を確保できる場合には、リブ群６０の３つの交差リブ６１のうちの第２交差リブ６３を省略し、第１交差リブ６２と第３交差リブ６４とを並設してもよい。
【００３８】
なお、本発明は、上述の実施形態に限定されるものではなく、本発明の要旨を逸脱しない範囲において適宜の変更が可能である。
本発明は、上述の実施形態では、便所、浴室、玄関等の壁面に据付けられる手摺に適用したが、扉、浴槽等の壁面に取付けられる取っ手にも適用することができる。
上述の実施形態では、２本の握り棒１と３個のブラケット１０，３０とで組み立てられた手摺であるが、本発明はこれに限定されず、複数本の握り棒と複数個のブラケットとで組み立てられたその他の手摺や取っ手に適用することができる。また、本発明は、１本の握り棒１と２個のエンドブラケット３０とでＩ字状に組み立てられたＩ形手摺や取っ手にも適用することができる。
【００３９】
上述の実施形態では、手摺Ｔにおいて、すべてのブラケット１０，３０に本発明を適用したが、一部のブラケットに本発明を適用してもよい。また、上述の実施形態では、１つ又は２つの支持部を備えたブラケットに本発明を適用したが、３つ以上の支持部を備えたブラケットにも本発明を適用してもよく、この場合に、すべての支持部に本発明のリブ群を設けてもよいし、一部の支持部に本発明のリブ群を設けてもよい。また、上述の実施形態では、１つのリブ群につき２つ又は３つの交差リブを設けたが、本発明は、１つのリブ群につき４つ以上の交差リブを設けてもよい。
【産業上の利用可能性】
【００４０】
本発明は、便所、浴室、玄関その他の設備に据付ける手摺や、扉、浴槽その他の家具に取り付ける取っ手に利用できる。
【符号の説明】
【００４１】
１  握り棒
２  手摺用ブラケット
１０  コーナーブラケット
３０  エンドブラケット
１１，３１  ブラケット本体
１２，３２  ブラケットカバー
１３，３３  握り棒取付部
１４，３４  基礎部
１５，３５  支持部
１６，３６  貫通孔
１７，３７  ネジ挿通孔
１８ａ，１８ｂ，３８ａ，３８ｂ  開放縁部
２０，４０，６０  リブ群
２１，４１，６１  交差リブ
２２，４２，６２  第１交差リブ
２３，４３，６３  第２交差リブ
２４ａ，２４ｂ，４６ａ，４６ｂ  板状部
２５ａ，２５ｂ，４７ａ，４７ｂ，６７ａ，６７ｂ  第１交差リブの板状部
２６ａ，２６ｂ，４８ａ，４８ｂ，６８ａ，６８ｂ  第２交差リブの板状部
２７  囲繞部
４４，６４  第３交差リブ
４５  補強リブ
４９ａ，４９ｂ，６９ａ，６９ｂ  第３交差リブの板状部
５０，７０  第１囲繞部
５１，７１  第２囲繞部
５２，５３，７２，７３  副囲繞部
【図１】
2018178427.tif 000003
【図２】
2018178427.tif 000004
【図３】
2018178427.tif 000005
【図４】
2018178427.tif 000006
【図５】
2018178427.tif 000007
【図６】
2018178427.tif 000008
【図７】
2018178427.tif 000009
【図８】
2018178427.tif 000010